(57)【要約】      （修正有）【課題】表示部と操作部を有する画像読取装置において、外部から画像読取装置を制御する情報処理装置の応答が遅れる場合に、オペレータが画像読取作業を開始させるため操作部を操作しても、ストレス無く読み取り作業を行うことが出来る画像読取装置及びシステムを提供する。【解決手段】画像読取装置の操作部から、情報処理装置の読取動作を起動する画像読取システムにおいて、画像読取装置の操作部から、読取開始操作をされたときに、情報処理装置の応答を待たずに、画像読取装置の表示部をスキャン中表示にすることにより、情報処理装置内の画像キャプチャアプリケーションの応答が遅れた場合であっても、キー操作が受け付けられたことをオペレータに伝える。【選択図】図５Ａ
2010119016.tif 000002
【特許請求の範囲】
【請求項１】
原稿の画像を読み取る読取手段と、
前記読取手段による画像読取を指示するための開始操作を入力可能な操作手段と、
情報処理装置との通信を行う通信手段と、
前記情報処理装置からの指示により情報を表示可能な表示手段とを備え、
前記情報処理装置から制御され画像読取を行う画像読取装置において、
前記開始操作が入力されたとき、前記情報処理装置からの指示を待つことなく、読み取り開始状態であることを示す表示を前記表示手段に表示することを特徴とする画像読取装置。
【請求項２】
前記開始操作が入力されたことを表す情報の記憶処理と、読み取り開始状態であることの前記表示手段への表示処理とを、ほぼ同時に行うことを特徴とする請求項１に記載の画像読取装置。
【請求項３】
原稿の画像を読み取る読取手段と、
前記読取手段による画像読取を指示するための開始操作を入力可能な操作手段と、
情報処理装置との通信を行う通信手段と、
前記情報処理装置からの指示により情報を表示可能な表示手段を備えた画像読取装置の制御方法であって、
前記開始操作を入力する入力ステップと、
前記情報処理装置から制御され画像読取を行う画像読取ステップと、
前記開始操作が入力されたとき、前記情報処理装置からの指示を待つことなく、読み取り開始状態であることを示す表示を前記表示手段に表示する表示ステップと、
を有することを特徴とする画像読取装置の制御方法。
【発明の詳細な説明】
【技術分野】
【０００１】
本発明は、原稿の画像情報を読取る画像読取装置、及びその制御方法に関する。
【背景技術】
【０００２】
従来、原稿の読み取りを行う画像読取装置において、原稿の読み取りが行われる前に、オペレータが、画像読取装置に接続されたホストコンピュータ等の情報処理装置内のスキャナドライバや画像キャプチャアプリケーションを利用して原稿画像読み取り時の解像度、画像サイズ、読み取った画像ファイルのファイル名、およびファイル形式などの設定を行っていた。
【０００３】
また、画像読取の操作を簡便にするため、画像読取装置に接続されたホストコンピュータ等の情報処理装置に画像キャプチャアプリケーションを常駐させる場合がある。例えば特許文献１には、情報処理装置に常駐している画像キャプチャアプリケーションにより、画像読取装置のキーが監視され、キーの押下をもって、画像キャプチャアプリケーションに制御されて予め設定されている処理を実行するような構成の画像読取装置が開示されている。
【特許文献１】特許第３４２８４３５号公報
【発明の開示】
【発明が解決しようとする課題】
【０００４】
しかしながら、上記のように情報処理装置に常駐している画像キャプチャアプリケーションにより、画像読取装置のキーが監視され、オペレータがキーを押下すると、画像キャプチャアプリケーションに制御されて予め設定されている処理を実行する画像読取装置では、画像読取装置のキー監視の頻度、あるいはキャプチャアプリケーションの内部処理にかかる時間に起因する処理遅れがある。これにより、画像読取装置のキーを押下してから当該キーに予め設定されている処理が画像キャプチャアプリケーションからの制御で実行されるまでに時間がかかり、キー操作が受け付けられたかオペレータが不安になることがあった。
【０００５】
本発明は、このような問題に鑑みてなされたものであり、情報処理装置内の画像キャプチャアプリケーションの応答が遅れた場合であっても、キー操作が受け付けられたことをオペレータに伝え、ストレス無く読み取り作業を行うことが出来る画像読取システムを提供することを目的とする。
【課題を解決するための手段】
【０００６】
上記目的を達成するために、本発明の画像読取装置は、原稿の画像を読み取る読取手段と、前記読取手段による画像読取を指示するための開始操作を入力可能な操作手段と、情報処理装置との通信を行う通信手段と、前記情報処理装置からの指示により情報を表示可能な表示手段とを備え、前記情報処理装置から制御され画像読取を行う画像読取装置において、前記開始操作が入力されたとき、前記情報処理装置からの指示を待つことなく、読み取り開始状態であることを示す表示を前記表示手段に表示することを特徴とする。
【０００７】
また、本発明の画像読取装置の制御方法は、原稿の画像を読み取る読取手段と、前記読取手段による画像読取を指示するための開始操作を入力可能な操作手段と、情報処理装置との通信を行う通信手段と、前記情報処理装置からの指示により情報を表示可能な表示手段を備えた画像読取装置の制御方法であって、前記開始操作を入力する入力ステップと、前記情報処理装置から制御され画像読取を行う画像読取ステップと、前記開始操作が入力されたとき、前記情報処理装置からの指示を待つことなく、読み取り開始状態であることを示す表示を前記表示手段に表示する表示ステップと、を有することを特徴とする。
【発明の効果】
【０００８】
本発明によれば、画像読取装置のキーの押下から、予め設定されている処理の実行までに時間がかかっても、キー操作が受け付けられたかどうかオペレータが不安になることがないため、ストレスなく読み取り作業を行うことが可能になる。
【発明を実施するための最良の形態】
【０００９】
以下、本発明の実施の形態を図面を参照しながら詳細に説明する。
【実施例１】
【００１０】
図１は本発明の実施の形態に係る画像読取装置の外観を示す斜視図である。画像読取装置２００は、複数枚の原稿４０１を載置可能な原稿台４０２と、排紙された原稿４０１が載置される排紙台４０３と、ジョブを選択するための操作パネル４０４と、原稿４０１の載置位置を規制する原稿規制板４０５で構成される。画像読取装置２００は、後述するホストコンピュータ２１４に周知の通信方法であるＵＳＢインターフェースを介して接続されている。ホストコンピュータ２１４には、画像読取装置２００を制御するためのスキャナドライバや画像キャプチャアプリケーションがインストールされており、これらにより画像読取装置２００に画像を読み取らせることが可能となっている。
【００１１】
図２は、図１の画像読取装置２００の概略断面図である。画像読取装置２００は、給紙ローラ５０３と、給紙方向とは逆方向に重送された原稿を戻して分離する分離ローラ５０２と、原稿４０１の載置の有無を検知する給紙センサ５０４と、原稿４０１の通過の有無を検知するレジストセンサ５０６と、原稿４０１の表面の画像を読み取る表面画像読取センサ５０７と、原稿４０１の裏面の画像を読み取る裏面画像読取センサ５０８と、排紙ローラ５１０とそれに追従して回転する排紙従動ローラ５１２と、給紙ローラ５０３および排紙ローラ５１０を駆動するメインモータ５０９と、排紙される原稿４０１を検知する排紙センサ５１１を備える。
【００１２】
図３は、画像読取装置２００の内部構成を示す制御系のブロック図である。画像読取装置２００は、原稿４０１の表面の画像を読み取る表面画像読取センサ５０７と、原稿４０１の裏面の画像を読み取る裏面画像読取センサ５０８と、読み取った画像データに対して色調補正などの所定の画像処理を行う画像処理部２０３と、画像処理された画像データを記憶する画像メモリ２０４とを有する。さらに、画像読取装置２００は原稿４０１を搬送するためのメインモータ等を駆動する駆動制御部２０５と、図２における、搬送路上の原稿４０１の有無を検知する給紙センサ５０４、レジストセンサ５０６、排紙センサ５１１を制御する原稿検知センサ制御部２０６と、本装置を制御するＣＰＵ２０８と、ＣＰＵ２０８が実行する各種制御プログラムを保持するフラッシュメモリ２０７と、駆動制御部２０５などを制御するためのタイミング信号を発生するタイマ２０９と、画像データや制御データ等を送受信するＵＳＢ制御部２１０と、操作パネル４０４上に配置されたＬＣＤの表示を制御するＬＣＤ制御部２１２と、ＬＣＤに表示されるジョブ番号を選ぶためにオペレータが行う選択ボタンの操作を認識するスイッチ制御部２１３とを有する。
【００１３】
ホストコンピュータ２１４は画像読取装置２００とＵＳＢインターフェースで接続されており、マウス／キーボード２２１やディスプレイ２２０が接続されている。
【００１４】
図４（Ａ）、図４（Ｂ）は画像読取装置２００上の操作パネル４０４の外観を示す図である。操作パネル４０４は、例えばジョブ番号とタイトルの表示や、各種状態等の表示を表示可能なＬＣＤ１８０３と、ジョブを選ぶための選択ボタン１８０１、１８０２と、原稿４０１の画像読み取りを開始させる開始操作を入力可能なスタートボタン１８０４と、画像読み取りを停止させるためのストップボタン１８０５とで構成されている。
【００１５】
ホストコンピュータ２１４は、後述するジョブ設定処理により、図９（Ｃ）に示すジョブ番号、ジョブのタイトルと、ジョブ番号に対応させたスキャン設定値のデータリストを図示しない不揮発性メモリや記憶装置等に保持している。図１２に示す表示コマンドを送信することで、画像読取装置に対し、ジョブ番号とタイトルの表示を指示する。次に、図１３を用いてジョブの更新処理を説明する。ステップＳ１３０１においてホストコンピュータ２１４は、＋ボタン１８０１が押されたがどうかコマンドにより確認する。選択ボタンのうちプラスボタン１８０１が押されたと判断すると、ステップＳ１３０２において現在表示しているジョブの次のジョブ番号とタイトルを前記ジョブのタイトルとスキャン設定値のデータリストから取り出し、前記表示コマンドを送信する。また、ステップＳ１３０３においてホストコンピュータ２１４は、選択ボタンのうちマイナスボタン１８０２が押されたがどうかコマンドにより確認する。マイナスボタン１８０２が押されたと判断すると、ステップＳ１３０４において現在表示しているジョブの１つ前のジョブ番号とタイトルを前記ジョブのタイトルとスキャン設定値のデータリストから取り出し、前記表示コマンドを送信する。例えば、「１：ｔｅｓｔ１」と１番のジョブを表示しているときに、プラスボタン１８０１が押されると、「２：Ｇｒａｙ２００」と表示が更新される。或いは、マイナスボタン１８０２が押されると、「１０：Ｃｏｌｏｒ２００」と表示が更新される。
【００１６】
以上説明したように、画像読取装置に表示される文字列は、ホストコンピュータから送信され、画像読取装置側では受信した文字列を表示するだけでよい。
【００１７】
図８は、ホストコンピュータ２１４のソフトウエアの構成を示すブロック図である。図８に例示する各プログラムは、ホストコンピュータ２１４の不図示のハードディスクにインストールされており、オペレータの操作あるいは、他のプログラムからの呼び出しによって不図示のＲＡＭに読み込まれて実行される。ホストコンピュータ２１４に電源を入れると、最初にＯＳ６３１が起動する。
【００１８】
ジョブモニタ６３２と呼ばれるコンピュータプログラムは、ＯＳ６３１起動時に不図示のＲＡＭ上に呼び出されて実行されることで常駐しており、所定時間ごとに、スキャナドライバ６３４を経由して画像読取装置２００からの回答を確認することにより、操作パネル４０４上のスタートボタン１８０４が押されているか否かを監視している。操作パネル４０４上のスタートボタン１８０４が押されたとき、ジョブモニタ６３２からジョブアプリケーション６３３が起動され、スキャナドライバ６３４を経由して画像読取装置２００から画像を取得することができる。
【００１９】
一方、汎用アプリケーション６３５は、オペレータの操作により、ジョブアプリケーション６３３が起動していないときは、いつでも起動することができ、スキャナドライバ６３４を経由して画像読取装置２００から画像を取得することができる。
【００２０】
図７は、ホストコンピュータ２１４におけるオペレータのジョブ設定操作に応じた処理をする手順を示す図である。オペレータにより、まず、画像読取装置２００上の操作パネル４０４に表示されているジョブ番号に対応する原稿の読み取りジョブの処理内容等の設定を行うための、ジョブ設定アプリケーションが起動されると、不図示のＣＰＵは図９（Ａ）のようなジョブ設定ダイアログ１９００を開く（ステップＳ２０１）。ここで設定すべきジョブ番号としてジョブ番号１番の項目の選択がオペレータによりマウス／キーボード２２１等でなされれば（ステップＳ２０２でＹＥＳ）、設定するジョブ番号が選択され反転表示された図９（Ｂ）のような画面を表示し（ステップＳ２０３）、さらにマウスのクリック操作あるいはキーボードのＥｎｔｅｒキーの押下等を受けると、不図示のＣＰＵは図１０（Ａ）のような各ジョブ番号用の読み取り設定ダイアログ１９０１を開く（ステップＳ２０４）。ここで、オペレータにより、ジョブ番号１番で必要な、読み取り設定と、保存ファイル名等の設定が入力され、図１０（Ｂ）のように設定を保存するための保存ボタンが押下されると、ホストコンピュータ２１４の不図示のＣＰＵは、不図示の不揮発メモリに保存し（ステップＳ２０５）、図９（ｃ）のようにジョブ番号１番の項目に反映させ、ステップ２０２に戻る。
【００２１】
このようにオペレータが次々に、ジョブ番号を選択し、図１０（Ａ）のような各ジョブ番号用の読み取り設定ダイアログ１９０１を開き、同様な設定を行い、例えばジョブ番号１０番の設定が終わるまで繰り返すことが可能である。オペレータがすべてのジョブ番号に対応する設定を終え図９（Ａ）の閉じるボタンを押すと（ステップ２０２でＮＯ）、ホストコンピュータ２１４の不図示のＣＰＵはジョブ設定ダイアログ１９００を閉じる（ステップＳ２０６）。なお、オペレータは、全てのジョブ番号に対応した設定を行う必要は無く、必要なジョブ番号に対応した設定のみ行えばよい。
【００２２】
次に、画像読取装置２００とホストコンピュータ２１４における原稿４０１の画像読み取り処理を図５、図６を参照して説明する。なお、以下に説明する処理は、本発明の一実施形態をして操作パネル４０４による画像読取開始/停止を有効設定とした場合の処理を示すものであり、本発明は、本実施形態の制御方法に限定されるものではない。また、以下の処理は、フラッシュメモリ２０７に格納されたプログラムがＣＰＵ２０８により読み出されて実行されるものである。
【００２３】
図５Ａ、図５Ｂは、画像読取装置２００におけるスキャン処理を示すフローチャートである。図６は、ホストコンピュータ２１４におけるスキャン処理を示すフローチャートである。
【００２４】
図５Ａに示す処理において、まず画像読取装置２００のＣＰＵ２０８は、スタートボタン１８０４の押下の監視とホストコンピュータ２１４からのコマンド待ちのループを回っている。スタートボタン１８０４が押下されたかを監視し、押下されたと判断すると（ステップＳ１０１でＹＥＳ）、ホストコンピュータからの表示データを受信することなく図４（Ｂ）のようにＬＣＤ１８０３に「スキャン中です」と表示し（ステップＳ１０１ａ：表示処理）、スタート押下フラグをＯＮにする（ステップＳ１０１ｂ：記憶処理）。これらの処理により、ホストコンピュータ２１４によるスタートボタンの押下検知の問い合わせと、ホストコンピュータ２１４からの画像読取開始の指示が遅れても、画像読取装置２００のＬＣＤ１８０３の表示は「スキャン中です」となっている。このため、オペレータが、ジョブが受け付けられたか否か、不安になることなく、ストレスなく読み取り作業を行うことが可能になる。ステップＳ１０１ａとステップＳ１０１ｂの処理は順次連続して行うことが好適であるが、ほぼ同時に行えば十分である。また両者の順番を入れ替えてもよい。
【００２５】
次に、ＣＰＵ２０８はスタートボタン読み出しコマンドをＵＳＢ制御部２１０が受信済みか否かを調べ 、コマンドを受信済みであれば（ステップＳ１０２でＹＥＳ）、スタート押下フラグをホストコンピュータ２１４に返す（ステップＳ１０２ａ）。次に、読み取り開始コマンドをＵＳＢ制御部２１０が受信済みか否か調べ 、コマンドを受信済みであれば（ステップＳ１０３でＹＥＳ）、後述する画像読取処理に移行し読み取りを開始する（ステップＳ１０４）。読み取り開始コマンドを受信済みでなければ、Ｓ１０１に戻り、繰り返しスタートボタン１８０４の押下監視とホストコンピュータ２１４のコマンド待ちを行う。
【００２６】
また、フローチャートには図示しないが、スタートボタンが押され、スキャン中表示にしたにも拘らず、ホストコンピュータが応答するに十分な時間（例えば１０秒）が経過しても、読み取り開始指示がホストコンピュータから来ない場合、スキャン中表示を通信エラー表示に変更する。
【００２７】
図６はホストコンピュータ２１４の不図示のＣＰＵで実行される画像読取処理のフローチャートである。ホストコンピュータ２１４は、常時、画像読取装置２００上の操作パネル４０４上のスタートボタン１８０４が押下されたか否かを監視する（ステップＳ３０１）。ホストコンピュータ２１４は、画像読取装置２００上の操作パネル４０４上のスタートボタン１８０４が押下されたと判断すると、図１００にて前述したジョブ設定に基づいて保存されている、ジョブ番号に対応する設定を、ホストコンピュータ２１４内の不図示の不揮発メモリから読み出す（ステップＳ３０４）。次に、読み出した設定をＵＳＢを介して、画像読取装置２００に送信し（ステップＳ３０５）、読み取り開始コマンドを送信することで画像読み取り開始を指示する（ステップＳ３０６）。続いて、読み取り開始コマンドに応答して画像読取装置２００から送信された画像データの受信と保存を行う（ステップＳ３０７）。
【００２８】
図５Ｂを用いて、画像読取装置２００の画像読取処理を説明する。ホストコンピュータ２１４から、読み取り開始が指示されると本処理に移行する。ＣＰＵ２０８は給紙する原稿が検知され（ステップＳ１０５でＹＥＳ）、ストップボタンの押下がなければ（ステップＳ１０６でＮＯ）、画像読取装置２００は、メインモータ５０９を駆動して原稿４０１の給紙を開始する（ステップＳ１０７）。原稿台４０２に載置された原稿４０１は、周知の原稿分離機構により１枚ずつ分離され、装置内に給紙される。
【００２９】
次に、装置内に給紙された原稿４０１の先端がレジストセンサ５０６を通過したことが検知されると （ステップＳ１０８でＹＥＳ）、その一定時間後に表面画像読取センサ５０７および裏面画像読取センサ５０８を制御して原稿４０１の画像読取を開始する（ステップＳ１０９）。画像読み取りが開始された後、原稿４０１の後端がレジストセンサ５０６を通過したことが検知されると（ステップＳ１１０でＹＥＳ）、その一定時間後に表面画像読取センサ５０７および裏面画像読取センサ５０８を制御して原稿４０１の読み取りを終了する （ステップＳ１１１）。読み取られた原稿４０１の画像は、画像データとしてＵＳＢ制御部２１０を介してホストコンピュータ２１４に送出される（ステップＳ１１２）。
【００３０】
これに同期して、ホストコンピュータ２１４は、図６において上述したように、画像読取装置２００から送信された画像データを、図１０にて前述したジョブ設定に基づいて保存されている、ジョブ番号に対応する設定から、ファイル名を導き出し、所定のファイル名で保存する（ステップ３０７）。
【００３１】
次に、図５Ｂに示す処理において画像読取装置２００のＣＰＵ２０８は、原稿４０１が排紙センサ５１１を通過したら（ステップＳ１１３でＹＥＳ）、原稿４０１を排紙台４０３に排紙して搬送を停止する
（ステップＳ１１４）。なお、本処理を複数の原稿に対して繰り返し適用した場合に、原稿台４０２に載置された複数枚の原稿４０１を全て読み取り終え、給紙センサ５０４により原稿４０１を検知しなくなったときは、（ステップＳ１０５でＮＯ）、メインモータ５０９を停止（ステップＳ１１６）した後、次の原稿がない旨をホストコンピュータ２１４に通知して、本処理を終了する。
【００３２】
これに同期して、ホストコンピュータ２１４も、図６のフローチャートの画像読取処理を終了する。
【００３３】
一方、図５Ｂに示す処理において画像読取装置２００のＣＰＵ２０８は、原稿４０１を搬送中に、ストップボタン１８０５が押下されたことを検知したときは（ステップＳ１０６でＹＥＳ）、原稿の読取を中断する操作が行われた旨をホストコンピュータ２１４に通知して、本処理を終了する。
【００３４】
このとき、ホストコンピュータ２１４は通知を受けると、図６のフローチャートの画像読取処理を終了する。
【００３５】
また、上記実施の形態では、ＬＣＤ１８０３に「スキャン中です」と表示したが、「スキャンが受け付けられました」、「ホストコンピュータからのスキャン命令を待っています」、「スキャンの初期化中です」等の別の表示でも良い。また、上記実施の形態では、ＬＣＤ１８０３に「スキャン中です」と表示したが、ＬＣＤに代わる画像読取装置のステータスを表示する手段で、たとえばＬＥＤなどの色や点滅状態を変える等の方法で、「スキャン中」であることを表現しても良い。
【００３６】
また、上記実施の形態では、ＬＣＤ１８０３に「スキャン中です」と表示したが、「スキャンが受け付けられました」、「ホストコンピュータからのスキャン命令を待っています」、「スキャンの初期化中です」等の読取開始状態であることを表す別の表示でも良い。
【００３７】
本発明の制御処理の一部または全てをハードウエアによる処理に置き換えてもよい。また、本発明の目的は、上述した実施の形態の機能を実現するソフトウエアのプログラムを記憶した記憶媒体を画像処読取装置に供給し、その画像処理装置のコンピュータ（又はＣＰＵやＭＰＵ等）が記憶媒体に格納されたプログラムコードを読出して実行することによっても、達成される。
【００３８】
この場合、記憶媒体から読出されたプログラムコード自体が上述した実施の形態の機能を実現することとなり、そのプログラムコード及び該プログラムコードを記憶した記憶媒体は本発明を構成する。
【００３９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００４０】
コンピュータから読出されたプログラムコードを実行することにより、上述した実施の形態の機能が実現されるだけでなく、そのプログラムコードの指示に基づき、コンピュータ上で稼動するＯＳ（オペレーティングシステム）等が実際の処理の一部又は全部を行い、その処理によって前述した実施形態の機能が実現される場合も含まれることは言うまでもない。
【００４１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれる。
【図面の簡単な説明】
【００４２】
【図１】本発明の実施の形態に係る画像読取装置の外観を示す斜視図
【図２】図１の画像読取装置２００の概略断面図
【図３】画像読取装置２００の内部構成を示す制御系のブロック図
【図４】画像読取装置２００上の操作パネル４０４の外観を示す図
【図５Ａ】画像読取装置２００における画像読取処理を示すフローチャート
【図５Ｂ】画像読取装置２００における画像読取処理を示すフローチャート
【図６】ホストコンピュータ２１４における、ジョブ設定に従って読取を制御する処理を示すフローチャート
【図７】ホストコンピュータ２１４がオペレータ操作に応じてジョブ設定を行う処理のフローチャート
【図８】ホストコンピュータ２１４の内部構成を示す制御系のブロック図
【図９】ホストコンピュータ２１４におけるジョブ設定ダイアログ
【図１０】ホストコンピュータ２１４における画像読取設定ダイアログ
【図１１】ホストコンピュータ２１４におけるジョブ番号、ジョブタイトルとスキャン設定値のデータリスト
【図１２】ホストコンピュータ２１４が画像読取装置２００に送る表示コマンドの一例
【図１３】ホストコンピュータ２１４が画像読取装置２００のジョブ表示を更新する処理のフローチャート
【符号の説明】
【００４３】
２００  画像読取装置
２０３  画像処理部
２０４  画像メモリ
２０５  駆動制御部
２０６  原稿検知センサ制御部
２０７  フラッシュメモリ
２０８  ＣＰＵ
２０９  タイマ
２１０  ＵＳＢ制御部
２１２  ＬＣＤ制御部
２１３  スイッチ制御部
２１４  ホストコンピュータ
２２０  ディスプレイ
２２１  マウス／キーボード
４０１  原稿
４０２  原稿台
４０３  排紙台
４０４  操作パネル
４０５  原稿規制板
５０２  分離ローラ
５０３  給紙ローラ
５０４  給紙センサ
５０６  レジストセンサ
５０７  表面画像読取センサ
５０８  裏面画像読取センサ
５０９  メインモータ
５１０  排紙ローラ
５１１  排紙センサ
５１２  排紙従動ローラ
６３１  ＯＳ
６３２  ジョブモニタ
６３３  ジョブアプリケーション
６３４  スキャナドライバ
６３５  汎用アプリケーション
１８０１、１８０２  選択ボタン
１８０３  ジョブ／画像読取装置状態表示ＬＣＤ
１８０４  スタートボタン
１８０５  ストップボタン
１９００  ジョブ設定ダイアログ
１９０１  画像読み取り設定ダイアログ
【図１】
2010119016.tif 000003
【図２】
2010119016.tif 000004
【図３】
2010119016.tif 000005
【図４】
2010119016.tif 000006
【図５Ａ】
2010119016.tif 000007
【図５Ｂ】
2010119016.tif 000008
【図６】
2010119016.tif 000009
【図７】
2010119016.tif 000010
【図８】
2010119016.tif 000011
【図９】
2010119016.tif 000012
【図１０】
2010119016.tif 000013
【図１１】
2010119016.tif 000014
【図１２】
2010119016.tif 000015
【図１３】
2010119016.tif 000016